(57)【要約】【課題】絶縁耐力を高めて電気室用のフリーアクセスフロアを構築可能とした絶縁タイプフロアパネルを提供する。【解決手段】床面上で、支柱により一定の床下空間を確保する高さに支持されるとともに連続して多数連結することでフリーアクセスフロアを形成する絶縁タイプフロアパネル１であって、パネル本体１０と、絶縁ゴム製の絶縁シート２０と、を備え、パネル本体１０に絶縁シート２０を貼り合せて一体に形成した絶縁タイプフロアパネル１とした。【選択図】図１
0003123518.tif 000002
【実用新案登録請求の範囲】
【請求項１】
床面上で、支柱により一定の床下空間を確保する高さに支持されるとともに、連続して多数連結することでフリーアクセスフロアを形成する絶縁タイプフロアパネルであって、
パネル本体と、
絶縁ゴム製の絶縁シートと、
を備え、パネル本体に絶縁シートを貼り合せて一体に形成したことを特徴とする絶縁タイプフロアパネル。
【請求項２】
請求項１に記載の絶縁タイプフロアパネルにおいて、
前記パネル本体は、
正方形板状の天板部の外周に下側へ伸びる側壁を設けて下側を開口させた四角型箱状の箱状本体と、
箱状本体の箱内で縦方向、横方向若しくは斜め方向の少なくとも一方に張り渡される複数の補強リブと、
を備え、軽量化と強度化とを共に図ることを特徴とする絶縁タイプフロアパネル。
【請求項３】
請求項２に記載の絶縁タイプフロアパネルにおいて、
前記補強リブは、格子状に形成されることを特徴とする絶縁タイプフロアパネル。
【請求項４】
請求項３に記載の絶縁タイプフロアパネルにおいて、
前記複数の補強リブのうち、外周側の補強リブと中央を通過する補強リブとは側壁と同じ高さにするとともに残る補強リブは側壁よりも低くして、軽量化と強度化とを共に図ることを特徴とする絶縁タイプフロアパネル。
【請求項５】
請求項１〜請求項４の何れか一項に記載の絶縁タイプフロアパネルにおいて、
前記補強リブ同士の交差部に補強部を形成することを特徴とする絶縁タイプフロアパネル。
【考案の詳細な説明】
【技術分野】
【０００１】
本考案は、特に強電機器等が設置される電気室において、必要な配線類の引回し空間を形成するためのフリーアクセスフロアに用いられる絶縁タイプフロアパネルに関するものである。
【背景技術】
【０００２】
近年、コンピュータ室や通信機器室などでは二重床によるフリーアクセスフロアが採用されており、フリーアクセスフロア上側の機器設置空間ではサーバ、コンピュータという通信機器が配置され、また、フリーアクセスフロア下側の引き回し空間で通信用ケーブルが配線されている。
このような弱電用のフリーアクセスフロアで用いられるフロアパネルは、静電気防止タイル・一般タイル等を使用して絶縁を確保している。
【考案の開示】
【考案が解決しようとする課題】
【０００３】
上記のようなコンピュータ室や通信機器室以外でも配線の引き回しが容易なフリーアクセスフロアを採用したいという要請があった。例えば、配電機器等の強電装置が設けられる電気室においてもフリーアクセスフロアの採用が検討されている。しかしながら、従来技術の静電気防止タイル・一般タイル等で絶縁を確保したフロアパネルでは、強電装置に用いるには絶縁が完全であるとはいえないため、従来のフロアパネルをそのまま強電装置用のフリーアクセスフロアに採用できないという問題があった。電気室用のフリーアクセスフロアに採用できるようなフロアパネルが求められている。
【０００４】
そこで、本考案は、上記の課題を解決するためになされたものであり、その目的は、絶縁耐力を高めて電気室用のフリーアクセスフロアを構築可能とした絶縁タイプフロアパネルを提供することにある。
【課題を解決するための手段】
【０００５】
本考案の請求項１に係る絶縁タイプフロアパネルは、
床面上で、支柱により一定の床下空間を確保する高さに支持されるとともに、連続して多数連結することでフリーアクセスフロアを形成する絶縁タイプフロアパネルであって、
パネル本体と、
絶縁ゴム製の絶縁シートと、
を備え、パネル本体に絶縁シートを貼り合せて一体に形成したことを特徴とする。
【０００６】
また、本考案の請求項２に係る絶縁タイプフロアパネルは、
請求項１に記載の絶縁タイプフロアパネルにおいて、
前記パネル本体は、
正方形板状の天板部の外周に下側へ伸びる側壁を設けて下側を開口させた四角型箱状の箱状本体と、
箱状本体の箱内で縦方向、横方向若しくは斜め方向の少なくとも一方に張り渡される複数の補強リブと、
を備え、軽量化と強度化とを共に図ることを特徴とする。
【０００７】
また、本考案の請求項３に係る絶縁タイプフロアパネルは、
請求項２に記載の絶縁タイプフロアパネルにおいて、
前記補強リブは格子状に形成されることを特徴とする。
【０００８】
また、本考案の請求項４に係る絶縁タイプフロアパネルは、
請求項３に記載の絶縁タイプフロアパネルにおいて、
前記複数の補強リブのうち、外周側の補強リブと中央を通過する補強リブとは側壁と同じ高さにするとともに残る補強リブは側壁よりも低くして、軽量化と強度化とを共に図ることを特徴とする。
【０００９】
また、本考案の請求項５に係る絶縁タイプフロアパネルは、
請求項１〜請求項４の何れか一項に記載の絶縁タイプフロアパネルにおいて、
前記補強リブ同士の交差部に補強部を形成することを特徴とする。
【考案の効果】
【００１０】
以上のような本考案によれば、絶縁耐力を高めて電気室用のフリーアクセスフロアを構築可能とした絶縁タイプフロアパネルを提供することができる。
【考案を実施するための最良の形態】
【００１１】
本考案を実施するための最良の形態について図に基づいて以下に説明する。図１は本形態の絶縁タイプフロアパネルの説明図であり、図１（ａ）は平面図、図１（ｂ）は側面図である。図２はパネル本体の説明図であり、図２（ａ）はＡ−Ａ線側断面を含む側面図、図２（ｂ）は底面図である。
絶縁タイプフロアパネル１は、図１（ａ），（ｂ）で示すように、パネル本体１０と、絶縁シート２０と、を備えている。
【００１２】
パネル本体１０は、例えばアルミやアルミニウム合金（非鉄金属）により形成され、図２（ａ），（ｂ）で示すように、正方形板状の天板部１１１の外周四辺で下側へ伸びる側壁１１２を設けて下側を開口させた四角型箱状の箱状本体１１と、箱状本体１１の箱内で側壁１１２と並行して縦方向および横方向に張り渡される複数の補強リブ１２と、を備えている。
【００１３】
補強リブ１２は、図２（ｂ）で示すように、底面から見て格子状に形成される。補強リブ１２のうち、外周側の補強リブ１２と中央を通過する補強リブ１２とはパネル本体１０の側壁１１２と同じ高さにした高壁補強リブ１２１にしている。これにより、高壁補強リブ１２１が通過する本体箱部１１の中央付近で撓まないように強度を高めている。また、本体箱部１１の外周の強度を高めて特にねじれや曲げに対して強度を上げている。
【００１４】
また、残る補強リブ１２はパネル本体１０の側壁１１２よりも低くした低壁補強リブ１２２としている。これにより、パネル本体１０の全域で力に対する強度を高めている。
また、補強リブ１２１，１２２が交差する箇所では力が集中するため、円柱状の補強部１２３も形成して集中する力に耐えられるようにしている。これらのような補強リブ１２１，１２２は格子状に形成されるが、特にパネル本体１０の側壁１１２と並行するように形成される。
このように構成することで、軽量化と強度化とを共に図るようにしている。
【００１５】
絶縁シート２０は、特に絶縁性が高いゴム系樹脂の絶縁物を採用している。絶縁シート２０は、図１（ａ）で示すように、パネル本体１０の天板部１１１と同じ大きさの正方形で枚葉のシートであり、このパネル本体１０の天板部１１１に貼付される。
絶縁タイプフロアパネル１はこのようなものである。
【００１６】
このような絶縁タイプフロアパネル１を用いるフリーアクセスフロアは以下のようにして形成される。
連結具を兼ねる支柱を４個配置し、絶縁タイプフロアパネル１の四隅のコーナー付近の側部に設けられた切り欠き１１３を、それぞれの支柱に係止させつつ載せることで絶縁タイプフロアパネル１が設置される。この一個の支柱には絶縁タイプフロアパネル１が４個配置されるため、支柱と絶縁タイプフロアパネル１とを連続して多数連結することで床面上で、支柱により一定の床下空間を確保する高さに支持されてフリーアクセスフロアが形成される。
【００１７】
このようなフリーアクセスフロアでは、絶縁シート２０により絶縁が確保され、絶縁シート２０上で電気が流れるような事態を著しく低減している。
また、フリーアクセスフロア下側の配線類の引回し空間と、フリーアクセスフロア上側の機器設置空間と、においてもパネル本体１０および絶縁シート２０により絶縁が確保され、万が一、配線類から漏れた電流が流れても絶縁シート２０まで到達する事態を著しく低減している。
【００１８】
なお、縦方向および横方向で格子状の補強リブ１２を施すものとして説明した。しかしながら、上記の格子状の補強リブ１２に加えて、さらに斜め方向の補強リブを追加するようにしても良い。また、縦方向、横方向または斜め方向の何れか一方のみの補強リブを設けるようにしても良い。
【００１９】
以上で説明したように、本発明の絶縁タイプフロアパネル１は、アルミやアルミニウム合金という非鉄金属により製造されたパネル本体１０に絶縁シート２０を貼着すればよいので、製造が容易である。
また、支柱で連結してフリーアクセスフロアを構成するので、施工やレイアウトも容易である。
さらにまた、格子状の補強リブ１２や、斜め方向の補強リブを施すことで強度も優れたものとなる。
【図面の簡単な説明】
【００２０】
【図１】本考案を実施するための最良の形態の絶縁タイプフロアパネルの説明図であり、図１（ａ）は平面図、図１（ｂ）は側面図である。
【図２】パネル本体の説明図であり、図２（ａ）はＡ−Ａ線側断面を含む側面図、図２（ｂ）は底面図である。
【符号の説明】
【００２１】
１：絶縁タイプフロアパネル
１０：パネル本体
１１：本体箱部
１１１：天板部
１１２：側壁
１１３：切り欠き
１２：補強リブ
１２１：高壁補強リブ
１２２：低壁補強リブ
１２３：補強部
２０：絶縁シート
【図１】
0003123518.tif 000003
【図２】
0003123518.tif 000004